(57)【要約】【課題】イメージファイル以外の書類データをプリントする汎用プリント方法及び汎用プリンタドライバモジュールと、それらを用いる電子装置を提供する。【解決手段】現在ＰｉｃｔＢｒｉｄｇｅが対応しないイメージファイル形式以外の書類データの内容に応じて、ＰｉｃｔＢｒｉｄｇｅが対応するイメージファイルに生成し、そして既存のＰｉｃｔＢｒｉｄｇｅインターフェイスを利用して生成した該イメージファイルをプリンタに出力する。【選択図】図３
2008276730.tif 000002
【特許請求の範囲】
【請求項１】
イメージファイル以外の書類データを処理するアプリケーションプログラムがインストールしてあって、ＰｉｃｔＢｒｉｄｇｅに対応し、且つＰｉｃｔＢｒｉｄｇｅに対応するプリンタ装置と接続している携帯式電子装置に、前記イメージファイル以外の書類データをプリントアウトする汎用プリント方法であって、
（Ａ）汎用プリンタドライバモジュールを前記携帯式電子装置にロードする工程と、
（Ｂ）前記アプリケーションプログラムを起動して前記イメージファイル以外の書類データを開かせる工程と、
（Ｃ）前記汎用プリンタドライバモジュールに接続し、前記アプリケーションプログラムにより開かれている前記イメージファイル以外の書類データに対応する少なくとも１つのイメージファイルを生成する工程と、
（Ｄ）ＰｉｃｔＢｒｉｄｇｅの機能を利用して、前記少なくとも１つのイメージファイルを前記プリンタ装置に転送する工程とを含むことを特徴とする汎用プリント方法。
【請求項２】
前記工程（Ｃ）は、
（Ｃ１）前記携帯式電子装置全体を制御するオペレーティングシステムが有する画像化モジュールに、前記イメージファイル以外の書類データに対応し、プリントアウトするページ数ごとにメタファイルを生成させるサブ工程と
（Ｃ２）前記メタファイルごとに対応するイメージファイルを生成するサブ工程とによって行われることを特徴とする請求項１に記載の汎用プリント方法。
【請求項３】
前記工程（Ｃ）において、サブ工程（Ｃ１）の前に
（Ｃ０）前記汎用プリンタドライバモジュールが前記携帯式電子装置のユーザインターフェイスに接続しユーザにプリントアウトの実行及びプリントアウトするページを確認させるサブ工程が行われることを特徴とする請求項２に記載の汎用プリント方法。
【請求項４】
前記工程（Ｃ）において生成されるイメージファイルは、ＪＰＥＧ形式のイメージファイルであることを特徴とする請求項１に記載の汎用プリント方法。
【請求項５】
前記工程（Ｄ）は、
（Ｄ１）ＰｉｃｔＢｒｉｄｇｅの機能を利用して、前記少なくとも１つのイメージファイルをユニバーサルシリアルバス、無線ユニバーサルシリアルバス、ブルートゥース、超広帯域無線と無線ＬＡＮなどのいずれかの転送形式に対応するプリントデータにエンコードするサブ工程と、
（Ｄ２）前記プリントデータが対応する転送形式で前記プリンタに転送するサブ工程とによって行われることを特徴とする請求項１に記載の汎用プリント方法。
【請求項６】
イメージファイル以外の書類データを処理するアプリケーションプログラムがインストールしてあって、ＰｉｃｔＢｒｉｄｇｅに対応し、且つＰｉｃｔＢｒｉｄｇｅに対応するプリンタ装置と接続している携帯式電子装置に、前記イメージファイル以外の書類データをプリントアウトする汎用プリンタドライバモジュールであって、
前記携帯式電子装置全体を制御するオペレーティングシステムが有する画像化モジュールに、前記アプリケーションプログラムにより開かれている前記イメージファイル以外の書類データに対応してプリントアウトするページ数ごとにメタファイルを生成するように指示する指示部と、
前記メタファイルをファイルごとに対応するイメージファイルを生成するコンバート部と、
ＰｉｃｔＢｒｉｄｇｅの機能を利用して、生成された前記イメージイファイルを前記プリンタ装置に転送する転送部とを備えてなることを特徴とする汎用プリンタドライバモジュール。
【請求項７】
前記転送部は、
ＰｉｃｔＢｒｉｄｇｅの機能を利用して、前記少なくとも１つのイメージファイルをユニバーサルシリアルバス、無線ユニバーサルシリアルバス、ブルートゥース、超広帯域無線、無線ＬＡＮなどのいずれかの転送形式に対応するプリントデータにエンコードし、前記プリントデータが対応する転送形式で前記プリンタに転送することを特徴とする請求項６に記載の汎用プリンタドライバモジュール。
【請求項８】
前記イメージファイル以外の書類データをプリントアウトするコマンドを受けた後、前記携帯式電子装置のユーザインタフェイスに接続しユーザにプリントアウトの実行及びプリントアウトするページを確認させることを特徴とする請求項６に記載の汎用プリンタドライバモジュール。
【請求項９】
前記コンバート部は前記メタファイルをファイルごとに対応するイメージファイルをＪＰＥＧ形式のイメージファイルに生成することを特徴とする請求項６に記載の汎用プリンタドライバモジュール。
【請求項１０】
画像化モジュールを備えたオペレーティングシステムと、イメージファイル以外の書類データを処理するアプリケーションプログラムモジュールと、ＰｉｃｔＢｒｉｄｇｅインターフェイスとを備えてなり、プリンタ装置と接続できる携帯式電子装置であって、
前記携帯式電子装置全体を制御するオペレーティングシステムが有する画像化モジュールに、前記アプリケーションプログラムにより開かれている前記イメージファイル以外の書類データに対応してプリントアウトするページ数ごとにメタファイルを生成するように指示する指示部と、
前記メタファイルをファイルごとに対応するイメージファイルを生成するコンバート部と、
ＰｉｃｔＢｒｉｄｇｅの機能を利用して、生成された前記イメージイファイルを前記プリンタ装置に転送する転送部とを有する汎用プリンタドライバモジュールを更に備えていることを特徴とする携帯式電子装置。
【請求項１１】
前記携帯式電子装置は、前記ＰｉｃｔＢｒｉｄｇｅインターフェイスと接続しているデジタルカメラを更に備えているスマートフォンであることを特徴とする請求項１０に記載の携帯式電子装置。
【請求項１２】
前記携帯式電子装置は、前記ＰｉｃｔＢｒｉｄｇｅインターフェイスと接続しているデジタルカメラを更に備えているパーソナルデジタルアシスタントであることを特徴とする請求項１０に記載の携帯式電子装置。
【請求項１３】
ユニバーサルシリアルバス、無線ユニバーサルシリアルバス、ブルートゥース、超広帯域無線、無線ＬＡＮなどのいずれかの転送形式に対応する転送インターフェイスを更に備えていることを特徴とする請求項１０に記載の携帯式電子装置。
【請求項１４】
前記アプリケーションプログラムモジュールが処理するイメージファイル以外の書類データは、ワープロソフトウェア、電子メールソフトウェア、ウェブページブラウザのいずれかにより生成されたことを特徴とする請求項１０に記載の携帯式電子装置。
【請求項１５】
前記コンバート部は前記メタファイルをファイルごとに対応するイメージファイルをＪＰＥＧ形式のイメージファイルに生成することを特徴とする請求項１０に記載の携帯式電子装置。
【発明の詳細な説明】
【技術分野】
【０００１】
本発明は、汎用プリント方法及び汎用プリンタドライバモジュールと、それらを用いた携帯式電子装置に関し、特に、携帯式電子装置がプリント手段と直接接続してイメージファイル以外の書類データをプリントアウトできる汎用プリント方法及び汎用プリンタドライバモジュールと、それらを用いた携帯式電子装置に関する。
【背景技術】
【０００２】
デジタルカメラが普及すると共に、デジタルイメージを出力する需要量も増えてきている。デジタルカメラが普及し始めた頃、デジタルカメラにより撮影されたデジタルイメージを出力するには、コンピュータなどプリント手段と接続できる装置及びそれを実行できるプログラムを介する必要がある。この問題点について、近年、カメラ映像機器工業会（ＣＩＰＡ）によって規格化されたＰｉｃｔＢｒｉｄｇｅ（ピクトブリッジ）に対応するデジタルカメラとプリンタは、コンピュータを介さずにデジタルカメラからデジタルイメージをユニバーサルシリアルバスを通してプリンタへ出力してプリントアウトすることができ、そしてプリントアウトに関する各種の設定も専用のプログラムを使用することなく、デジタルカメラから直接設定することが出来るようになった。
【０００３】
しかし、携帯式電子装置の多機能化によって、スマートフォンあるいデジタルカメラ付きＰＤＡなど、デジタルイメージに限らず、メール機能やワープロ機能を内蔵して書類データも扱う携帯情報端末も次々と世に出始めている。例えば、図１に示すように、携帯式電子装置１０はデジタルカメラモジュール１１及びイメージファイル以外の書類データ１２０（例えばＷＯＲＤ、ＰＤＦ、ＰＰＴ、ＨＴＭＬなど）を処理するアプリケーションプログラム１２を内蔵したスマートフォンあるいは携帯情報端末（ＰＤＡ）であり、デジタルカメラモジュール１１より撮影して記憶してあるデジタルイメージは、携帯式電子装置１０をユニバーサルシリアルバス、ブルートゥース、無線接続など常用のインターフェイスでプリンタ１５と接続すれば、両者に内蔵するＰｉｃｔＢｒｉｄｇｅインターフェイスと接続し、プリンタ１５を制御して出力することができる。しかし一方では、イメージファイル以外の書類データ１２０（例えばＷＯＲＤ、ＰＤＦ、ＰＰＴ、ＨＴＭＬなど）の内容をプリントアウトしたい時は、従来の手順通りに、接続ポート１４に通じてプリンタ１５に対応したドライバ１３１がインストールしてあるコンピュータ１３を経由しなければならない。
【発明の開示】
【発明が解決しようとする課題】
【０００４】
上記のように、ＰｉｃｔＢｒｉｄｇｅは携帯式電子装置内に記憶してあるデジタルイメージの出力／プリントアウト問題を解決したが、イメージファイル以外の書類データには未対応のままである。この問題点に鑑見て、本発明はイメージファイル以外の書類データをプリントする汎用プリント方法及び汎用プリンタドライバモジュールと、それらを用いる電子装置を提供することを目的とする。
【課題を解決するための手段】
【０００５】
上記目的を達成するため、本発明は、イメージファイル以外の書類データを処理するアプリケーションプログラムがインストールしてあって、ＰｉｃｔＢｒｉｄｇｅに対応し、且つＰｉｃｔＢｒｉｄｇｅに対応するプリンタ装置と接続している携帯式電子装置に、前記イメージファイル以外の書類データをプリントアウトする汎用プリント方法であって、
（Ａ）汎用プリンタドライバモジュールを前記携帯式電子装置にロードする工程と、
（Ｂ）前記アプリケーションプログラムを起動して前記イメージファイル以外の書類データを開かせる工程と、
（Ｃ）前記汎用プリンタドライバモジュールに接続し前記イメージファイル以外の書類データに対応する少なくとも１つのイメージファイルを生成する工程と、
（Ｄ）ＰｉｃｔＢｒｉｄｇｅの機能を利用して、前記少なくとも１つのイメージファイルを前記プリンタ装置に転送する工程とを含むことを特徴とする汎用プリント方法を提供する。
【０００６】
本発明の汎用プリント方法において、前記工程（Ｃ）は、
（Ｃ１）前記携帯式電子装置全体を制御するオペレーティングシステムが有する画像化モジュールに、前記イメージファイル以外の書類データに対応し、プリントアウトするページ数ごとにメタファイルを生成するサブ工程と
（Ｃ２）前記メタファイルごとに対応するイメージファイルを生成するサブ工程とによって行われることが好ましい。
【０００７】
また、前記工程（Ｃ）は、更にサブ工程（Ｃ１）の前に（Ｃ０）前記汎用プリンタドライバモジュールが前記携帯式電子装置のユーザインタフェイスに接続しユーザにプリントアウトの実行及びプリントアウトするページを確認させるサブ工程が行われることが好ましい。
【０００８】
また、本発明の汎用プリント方法において、前記工程（Ｃ）において生成されるイメージファイルは、ＪＰＥＧ形式のイメージファイルであることが好ましい。
【０００９】
また、本発明の汎用プリント方法において、前記工程（Ｄ）は、
（Ｄ１）ＰｉｃｔＢｒｉｄｇｅの機能を利用して、前記少なくとも１つのイメージファイルをユニバーサルシリアルバス、無線ユニバーサルシリアルバス、ブルートゥース、超広帯域無線及び無線ＬＡＮなどのいずれかの転送形式に対応するプリントデータにエンコードするサブ工程と、
（Ｄ２）前記プリントデータが対応する転送形式で前記プリンタに転送するサブ工程とによって行われることが好ましい。
【００１０】
更に、本発明はイメージファイル以外の書類データを処理するアプリケーションプログラムがインストールしてあって、ＰｉｃｔＢｒｉｄｇｅに対応し、且つＰｉｃｔＢｒｉｄｇｅに対応するプリンタ装置と接続している携帯式電子装置に、前記イメージファイル以外の書類データをプリントアウトする汎用プリンタドライバモジュールであって、前記携帯式電子装置全体を制御するオペレーティングシステムが有する画像化モジュールに、前記アプリケーションプログラムにより開かれている前記イメージファイル以外の書類データに対応してプリントアウトするページ数ごとにメタファイルを生成するように指示する指示部と、前記メタファイルをファイルごとに対応するイメージファイルを生成するコンバート部と、ＰｉｃｔＢｒｉｄｇｅの機能を利用して、生成された前記イメージイファイルを前記プリンタ装置に転送する転送部とを備えてなることを特徴とする汎用プリンタドライバモジュールをも提供する。
【００１１】
上記汎用プリンタドライバモジュールにおいて、前記転送部は、ＰｉｃｔＢｒｉｄｇｅの機能を利用して、前記少なくとも１つのイメージファイルをユニバーサルシリアルバス、無線ユニバーサルシリアルバス、ブルートゥース、超広帯域無線及び無線ＬＡＮなどのいずれかの転送形式に対応するプリントデータにエンコードし、前記プリントデータが対応する転送形式で前記プリンタに転送することが好ましい。
【００１２】
また、上記汎用プリンタドライバモジュールは、前記イメージファイル以外の書類データをプリントアウトするコマンドを受けた後、前記携帯式電子装置のユーザインタフェイスに接続しユーザにプリントアウトの実行及びプリントアウトするページを確認させるように構成されることが好ましい。
【００１３】
また、上記汎用プリンタドライバモジュールにおいて、前記コンバート部は前記メタファイルをファイルごとに対応するイメージファイルをＪＰＥＧ形式のイメージファイルに生成ように構成することが好ましい。
【００１４】
更に、本発明は、画像化モジュールを備えたオペレーティングシステムと、イメージファイル以外の書類データを処理するアプリケーションプログラムモジュールと、ＰｉｃｔＢｒｉｄｇｅインターフェイスとを備えてなり、プリンタ装置と接続できる携帯式電子装置であって、前記携帯式電子装置全体を制御するオペレーティングシステムが有する画像化モジュールに、前記アプリケーションプログラムにより開かれている前記イメージファイル以外の書類データに対応してプリントアウトするページ数ごとにメタファイルを生成するように指示する指示部と、前記メタファイルをファイルごとに対応するイメージファイルを生成するコンバート部と、ＰｉｃｔＢｒｉｄｇｅの機能を利用して、生成された前記イメージイファイルを前記プリンタ装置に転送する転送部とを有する汎用プリンタドライバモジュールを更に備えていることを特徴とする携帯式電子装置をも提供する。
【００１５】
前記携帯式電子装置は、前記ＰｉｃｔＢｒｉｄｇｅインターフェイスと接続しているデジタルカメラを更に備えているスマートフォン、またはパーソナルデジタルアシスタントで構成することが出来る。
【００１６】
上記携帯式電子装置は、前記ＰｉｃｔＢｒｉｄｇｅインターフェイスと接続していてユニバーサルシリアルバス、無線ユニバーサルシリアルバス、ブルートゥース、超広帯域無線及び無線ＬＡＮなどのいずれかの転送形式に対応する転送インターフェイスを更に備えていることが好ましい。
【００１７】
また、上記携帯式電子装置において、前記アプリケーションプログラムモジュールが処理するイメージファイル以外の書類データは、ワープロソフトウェア、電子メールソフトウェア、ウェブページブラウザのいずれかにより生成されたことが好ましい。
【００１８】
また、上記携帯式電子装置において、前記コンバート部は前記メタファイルをファイルごとに対応するイメージファイルをＪＰＥＧ形式のイメージファイルに生成することが好ましい。
【発明の効果】
【００１９】
上記構成によると、本発明の汎用プリント方法及び汎用プリンタドライバモジュールと、それらを用いた携帯式電子装置は、イメージファイル以外の書類データの内容に対応するイメージファイルを生成し、そして既存のＰｉｃｔＢｒｉｄｇｅインターフェイスの機能を利用して該イメージファイルをプリンタに出力するので、プリンタに対応したドライバがインストールしてあるコンピュータを経由しなくても、イメージファイル用のＰｉｃｔＢｒｉｄｇｅインターフェイスでイメージファイル以外の書類データの内容をプリントアウトすることができるので、これから更に多機能化が進む携帯式電子装置の利便性を向上するのに有用である。
【発明を実施するための最良の形態】
【００２０】
以下は図２〜図４を参照して本発明について詳しく説明する。図２は本発明のコンセプトを示す説明図であり、図３は本発明の汎用プリンタドライバモジュール及びそれを搭載した携帯式電子装置の構成を概略的に示すブロック図であり、そして図４は本発明の汎用プリント方法の内容を示すフローチャートである、
【００２１】
図２に示すように、本発明の汎用プリント方法は、イメージファイル（ＪＰＥＧ形式、ＰＮＧ形式、ＴＩＦＦ形式など）にしか対応しない既存のＰｉｃｔＢｒｉｄｇｅインターフェイスを利用して、携帯式電子装置内２に記憶してあるＷＯＲＤ形式、ＰＤＦ形式、ＰＰＴ形式、ＨＴＭＬ形式などイメージファイル以外の書類データ３１（以下、書類データ３１と略す）をダイレクトにＰｉｃｔＢｒｉｄｇｅインターフェイス４１を搭載しているのプリンタ４に転送してプリントアウトするため、携帯式電子装置２が持つ処理機能を用いて書類データ３１に対応するイメージファイル３３、即ち、書類データ３１がプリントアウトされる内容をイメージ化したイメージファイル３３を生成し、そのイメージファイル３３をＰｉｃｔＢｒｉｄｇｅインターフェイスがサポートする転送方法（ユニバーサルシリアルバス、無線ユニバーサルシリアルバス、ブルートゥース、超広帯域無線及び無線ＬＡＮなど）でＰｉｃｔＢｒｉｄｇｅインターフェイス対応のプリンタ４にダイレクト転送してプリントアウトする。
【００２２】
本発明の汎用プリント方法あるい汎用プリンタドライバモジュールを採用できるは携帯式電子装置としては、例えばスマートフォンやパーソナルデジタルアシスタント（以下、ＰＤＡと略す）が挙げられる。
【００２３】
この汎用プリント方法を実行するため、本発明は携帯式電子装置２を通常のスマートフォンやＰＤＡが有するケース部、キーボードやボタンなどの入力手段、受／発信部、表示手段など周知の基本的な部品を備えた上、更に図３が示すように構成する。つまり、本発明は携帯式電子装置２を画像化モジュール２１１を備えて携帯式電子装置２が行うあらゆる処理を制御するオペレーティングシステム２１（以下、ＯＳ２１と略す）と、携帯式電子装置２が行うあらゆる処理が必要の記憶空間を提供するメモリ６と、書類データ３１を処理できるアプリケーションプログラムモジュール２２と、撮影した写真をイメージファイル２４０としてメモリ６に記憶できるデジタルカメラモジュール２４と、外部装置と接続してデータを転送するためのユニバーサルシリアルバス２６（以下、ＵＳＢ２６と略す）と、ＰｉｃｔＢｒｉｄｇｅインターフェイス２５と、本発明の汎用プリンタドライバモジュール２３とを備えるように構成する。
【００２４】
アプリケーションプログラムモジュール２２は、例えば、ワープロソフトウェア、電子メールソフトウェア、ウェブページブラウザなど、ＷＯＲＤ形式、ＰＤＦ形式、ＰＰＴ形式、ＨＴＭＬ形式など書類データ３１を処理するものである。ここで、処理というのは、作成、削除、内容のアクセス、編集などの作業を含めている。また、本発明の汎用プリント方法あるい汎用プリンタドライバモジュールを利用して、書類データ３１の内容を接続するプリンタ４に転送してプリントアウトしたい場合も、アプリケーションプログラムモジュール２２に接続し携帯式電子装置２に命令する。プリントアウトの命令が下されると、アプリケーションプログラムモジュール２２は前記表示スクリーンでプリント内容確認インターフェイスを表示してユーザにプリント命令の確認やプリントするページ、クォリティなどプリントアウトに関するパラメータ設定を行わせる。
【００２５】
汎用プリンタドライバモジュール２３は、図３に示すように、指示部２３２と、コンバート部２３３と、転送部２３４とを有している。
【００２６】
指示部２３２は、ＯＳ２１が有する画像化モジュール２１１に、アプリケーションプログラム２２により開かれている書類データ３１がプリントアウトされる内容に対応して、ページ数ごとにメタファイル３２を生成するように指示する。
【００２７】
コンバート部２３３は、画像化モジュール２１１が生成したメタファイル３２ごとに対応して、ＰｉｃｔＢｒｉｄｇｅが処理できる形式のイメージファイル３３（例えばＪＰＥＧ形式、ＰＮＧ形式、ＴＩＦＦ形式など）を生成する。
【００２８】
転送部２３４は、ＰｉｃｔＢｒｉｄｇｅインターフェイス２５のプリンタ認識／通信／制御機能を利用して、コンバート部２３３より生成されたイメージイファイルをＵＳＢ転送形式に対応するプリントデータにエンコードし、ＵＳＢ２６でプリンタ４に転送する。
【００２９】
また、この実施形態では転送手段としてＵＳＢ２６を使用するが、ＵＳＢ以外に無線ユニバーサルシリアルバス（無線ＵＳＢ）や、ブルートゥース、超広帯域無線、無線ＬＡＮなどを使用することも出来る。無線ユニバーサルシリアルバスや、ブルートゥース、超広帯域無線、無線ＬＡＮなどの転送手段を使用する場合、転送部２３４を使用する転送手段の種類に対応して、コンバート部２３３より生成されたイメージイファイルをその種類の転送形式に対応するプリントデータにエンコードしてプリンタ４に転送する。
【００３０】
次いで、図４を参照して本発明の汎用プリント方法について説明する。図４に示すのは本発明の汎用プリント方法のフローチャートである。
【００３１】
本発明の汎用プリント方法を利用するには、まず、本発明の汎用プリントドライバモジュールを取得しておく（ステップ０１）必要がある。例えば、本発明の汎用プリントドライバモジュールを最初から内蔵する電子機器以外は、インターネットや他の電子機器（コンピュータなど）を経由して本発明の汎用プリントドライバモジュールをインストールする必要がある。
【００３２】
それから、本発明の汎用プリントドライバモジュールを利用して書類データ３１をプリントアウトするには、書類データ３１にアクセスして処理できるアプリケーションプログラムモジュール２２を起動し、アプリケーションプログラムモジュール２２で書類データ３１を開いて（ステップ０２）、アプリケーションプログラムモジュール２２に書類データ３１をプリントアウトするコマンドを与える（ステップ０３）。
【００３３】
正式にプリントアウトのプロセスに入る前に、本発明の汎用プリントドライバモジュール２３は該携帯式電子機器２のユーザインターフェイスに接続し、プリントアウト命令を下したユーザにプリントアウトの実行及びプリントアウトするページを確認させる（ステップ０４）。
【００３４】
プリントアウトのプロセスに入ると、本発明の汎用プリントドライバモジュール２３の指示部２３２は、書類データ３１に対応して、プリントアウトするページ数ごとにメタファイル３２を生成してコンバート部２３３に出力するよう、該携帯式電子装置２全体を制御するＯＳ２１が有する画像化モジュール２１１に指示を下す（ステップ０５）。
【００３５】
コンバート部２３３は、画像化モジュール２１１が生成したメタファイル３２ごとに対応するイメージファイル３３を生成して転送部２３４に出力する（ステップ０６）。この実施例では、生成するイメージファイル３３の形式は、ＰｉｃｔＢｒｉｄｇｅが対応するＪＰＥＧ形式である。
【００３６】
転送部２３４は、ＰｉｃｔＢｒｉｄｇｅインターフェイス２５を利用して、コンバート部２３３より生成されたイメージイファイルをＵＳＢ転送形式に対応するプリントデータにエンコードし、ＵＳＢ２６でプリンタ４に転送する（ステップ０７）。
【００３７】
最後に、プリンタ４はＵＳＢ２６から送られてきたプリントデータに従ってプリントアウト作業を行う（ステップ０８）。
【００３８】
以上手順によって、本発明の汎用プリント方法は、ＰｉｃｔＢｒｉｄｇｅを搭載した携帯式電子機器に本発明の汎用プリンタドライバモジュールをインストールして利用することによって、プリンタを制御してＰｉｃｔＢｒｉｄｇｅが対応しない形式のイメージファイル３３以外の書類データをプリントアウトすることができる。
【産業上の利用可能性】
【００３９】
本発明によると、本発明の汎用プリント方法及び汎用プリンタドライバモジュールと、それらを用いた携帯式電子装置は、現在ＰｉｃｔＢｒｉｄｇｅが対応しないイメージファイル形式以外の書類データの内容に応じて、ＰｉｃｔＢｒｉｄｇｅが対応するイメージファイルを生成し、そして既存のＰｉｃｔＢｒｉｄｇｅインターフェイスのプリンタ認識／通信／制御機能を利用して該イメージファイルをプリンタに出力するので、プリンタに対応したドライバがインストールしてあるコンピュータを経由しなくても、イメージファイル用のＰｉｃｔＢｒｉｄｇｅインターフェイスでイメージファイル以外の書類データの内容をプリントアウトすることができるので、これから更に多機能化が進むスマートフォンやＰＤＡなどの携帯式電子装置の利便性を向上に応用することができる。
【図面の簡単な説明】
【００４０】
【図１】従来の携帯式電子装置の構成概略及びＰｉｃｔＢｒｉｄｇｅの機能を示す説明図である。
【図２】本発明のコンセプト概略を示す説明図である。
【図３】本発明の汎用プリンタドライバモジュール及びそれを搭載した携帯式電子装置の構成を概略的に示すブロック図である。
【図４】本発明の汎用プリント方法の内容を示すフローチャートである。
【符号の説明】
【００４１】
２  携帯式電子装置
２１  オペレーティングシステム
２１１  画像化モジュール
２２  アプリケーションプログラムモジュール
２３  汎用プリンタドライバモジュール
２３２  指示部
２３３  コンバート部
２３４  転送部
２４  デジタルカメラモジュール
２４０  イメージファイル
２５  ＰｉｃｔＢｒｉｄｇｅインターフェイス
２６  ＵＳＢ
３１  書類データ
３２  メタファイル
３３  イメージファイル
４  プリンタ
４１  ＰｉｃｔＢｒｉｄｇｅインターフェイス
６  メモリ
【図１】
2008276730.tif 000003
【図２】
2008276730.tif 000004
【図３】
2008276730.tif 000005
【図４】
2008276730.tif 000006